(57)【要約】      （修正有）【課題】電力系統から電力負荷に供給される電力のピークカットを確実に行う。【解決手段】電力系統に連系された電力負荷に対して第１電力を供給する蓄電池の制御装置であって、過去の所定の時間帯における電力負荷の電力需要を示す需要実績情報と、過去の所定の時間帯における気象条件を示す気象情報と、に基づいて、将来の所定の時間帯における電力負荷の需要予測値を算出する需要予測部１１と、需要予測部において算出された需要予測値と、蓄電池の定格出力と、に基づいて、将来の所定の時間帯において電力系統から電力負荷に供給される第２電力の上限値を設定する上限設定部１３と、将来の所定の時間帯において電力系統から供給された第２電力の実績値が上限値を超えると、当該第２電力の実績値と上限値との差分に相当する第３電力を電力負荷へ放電するように蓄電池を制御する制御部１６と、を備える。【選択図】図２
2017022864.tif 000002
【特許請求の範囲】
【請求項１】
電力系統に連系された電力負荷に対して第１電力を供給する蓄電池の制御装置であって、
過去の所定の時間帯における前記電力負荷の電力需要を示す需要実績情報と、前記過去の所定の時間帯における気象条件を示す気象情報と、に基づいて、将来の所定の時間帯における前記電力負荷の需要予測値を算出する需要予測部と、
前記需要予測部において算出された前記需要予測値と、前記蓄電池の定格出力と、に基づいて、前記将来の所定の時間帯において前記電力系統から前記電力負荷に供給される第２電力の上限値を設定する上限設定部と、
前記将来の所定の時間帯において前記電力系統から供給された前記第２電力の実績値が前記上限値を超えると、当該第２電力の実績値と前記上限値との差分に相当する第３電力を前記電力負荷へ放電するように、前記蓄電池を制御する制御部と、
を備えることを特徴とする蓄電池制御装置。
【請求項２】
前記上限設定部は、複数の前記将来の所定の時間帯にわたる期間における前記需要予測値のピーク値と、前記蓄電池の定格出力と、の差分に相当する値を前記上限値として設定する
ことを特徴とする請求項１に記載の蓄電池制御装置。
【請求項３】
前記将来の所定の時間帯における前記需要予測値が前記上限値より小さいと、前記蓄電池の残量情報に基づいて、当該需要予測値に対応する前記将来の所定の時間帯に前記蓄電池を充電させるか前記蓄電池の動作を停止させるかを決定する充放電計画部、を更に備え、
前記制御部は、前記充放電計画部の決定に基づいて、前記蓄電池を充電させ又は前記蓄電池の動作を停止させる
ことを特徴とする請求項２に記載の蓄電池制御装置。
【請求項４】
前記需要予測部は、前記将来の所定の時間帯における気象予報情報に基づいて、前記将来の所定の時間帯における前記電力負荷の需要予測値を算出する
ことを特徴とする請求項１−３のいずれか一項に記載の蓄電池制御装置。
【請求項５】
電力系統に連系された電力負荷に対して第１電力を供給する蓄電池の制御方法であって、
過去の所定の時間帯における前記電力負荷の電力需要を示す需要実績情報と、前記過去の所定の時間帯における気象条件を示す気象情報と、に基づいて、将来の所定の時間帯における前記電力負荷の需要予測値を算出し、
前記電力負荷の前記需要予測値と、前記蓄電池の定格出力と、に基づいて、前記将来の所定の時間帯において前記電力系統から前記電力負荷に供給される第２電力の上限値を設定し、
前記将来の所定の時間帯において前記電力系統から供給された前記第２電力の実績値が前記上限値を超えると、当該第２電力の実績値と前記上限値との差分に相当する第３電力を前記電力負荷へ放電するように、前記蓄電池を制御する
ことを特徴とする蓄電池制御方法。
【請求項６】
電力系統に連系された電力負荷に対して第１電力を供給する蓄電池の制御装置に対して、
過去の所定の時間帯における前記電力負荷の電力需要を示す需要実績情報と、前記過去の所定の時間帯における気象条件を示す気象情報と、に基づいて、将来の所定の時間帯における前記電力負荷の需要予測値を算出する第１機能と、
前記第１機能において算出された前記需要予測値と、前記蓄電池の定格出力と、に基づいて、前記将来の所定の時間帯において前記電力系統から前記電力負荷に供給される第２電力の上限値を設定する第２機能と、
前記将来の所定の時間帯において前記電力系統から供給された前記第２電力の実績値が前記上限値を超えると、当該第２電力の実績値と前記上限値との差分に相当する第３電力を前記電力負荷へ放電するように、前記蓄電池を制御する第３機能と、
を実行させるプログラム。
【発明の詳細な説明】
【技術分野】
【０００１】
本発明は、蓄電池制御装置、蓄電池制御方法、及びプログラムに関する。
【背景技術】
【０００２】
近年、省エネルギー意識の高まりや電気料金の高騰を受けて、ピークカットのニーズが高まっている。ピークカットとは、需要家が消費する１日の電力の中で最も使用量が多い時間帯の電力を削減するものである。ピークカットを行うことで需要家が消費する電力量を削減することができるので、省エネルギーを実現するとともに、需要家が電力事業者に支払う電気料金も低減することが可能である。
【０００３】
このようにピークカットを行う方法として、例えば、特許文献１では、エネルギー消費量の予測を行い、この予測結果に基づいて蓄電蓄熱設備をスケジュール運転することが提案されている。また、特許文献１では、エネルギー消費量の予測を行う際に、制御対象機器の運用状態に依存した特性を考慮することで、予測精度を高めることができる、とされている。
【先行技術文献】
【特許文献】
【０００４】
【特許文献１】特開２０１３−１７４４１２号公報
【発明の概要】
【発明が解決しようとする課題】
【０００５】
しかし、予測精度を高めたとしても、予測と実績との誤差をゼロにすることはできない。そのため、予測結果に基づく蓄電蓄熱設備のスケジュール運転では、ピークカットを確実に実行することができず、したがって設備を効果的に運用できない。このことを図１、図８−図１３を参照して説明する。
【０００６】
例えば、図１のように、大規模系統４０と連系点Ｃにおいて連系されている需要家の電力負荷３０がある。大規模系統４０と電力負荷３０との間には、大規模系統４０から電力の供給を受けて充電し、電力負荷３０に対して放電により電力を供給する蓄電池２０が接続されている。このような蓄電池２０の充放電動作を制御することによって、大規模系統４０から需要家側へ供給される電力Ｐ（連系点Ｃにおける潮流ということもある）のピークカットを行うことを考える。
【０００７】
蓄電池２０の動作制御は、蓄電池制御装置１０によって行われる。蓄電池制御装置１０は、大規模系統４０から需要家側へ供給される電力Ｐのピークカットを行うために、電力負荷３０の負荷電力ＰＬ、蓄電池２０の残量、および連系点Ｃにおける潮流Ｐのそれぞれに関する実績情報を取り込む。そして、蓄電池制御装置１０は、取り込んだ負荷電力ＰＬの実績情報に基づいて、例えば図８の一点鎖線及び図９で示されるような需要予測値を算出する。
【０００８】
次に、蓄電池制御装置１０は、算出した需要予測値を用いて蓄電池２０の充放電計画を作成する。充放電計画の一例は図８の破線及び図９に示されている。図８、図９において、蓄電池２０の充電は負の値で、放電は正の値で示されている。ここで、連系点Ｃにおける潮流、つまり大規模系統から需要家側に供給される電力Ｐ、の予測値は、需要予測値から充放電計画値を引いた値である。
【０００９】
図８、図９を用いて需要予測値に対するピークカットの様子を示すと、ピークカットは、連系点Ｃでの潮流Ｐの予測値が所定値（図８、図９では１７０ｋＷ）に抑制されることで実現されることになる。
【００１０】
しかし、需要予測と需要実績との間には必ず予測誤差が生ずるので、充放電計画のとおりに蓄電池２０の充放電動作を制御しても、予定された通りのピークカットは実現され得ない。つまり、図１０、図１１のような予測誤差があるときに、図８、図９に示した充放電計画通りに蓄電池２０を運転すると、連系点Ｃにおける潮流Ｐの実績値は図１２、図１３に示されるように、時間帯（１１時、１４時−１６時）によっては所定値を超えるため、１７０ｋＷを目標とするピークカット計画は実現されない。
【００１１】
この原因は需要予測値と需要実績値との間の予測誤差に起因している。すなわち、予測精度をいくら高めたとしても、予測誤差は０になり得ないため、蓄電池２０を計画的に運用することは、確実なピークカットに繋がらない。
【課題を解決するための手段】
【００１２】
上記課題を解決するための手段の一つは、電力系統に連系された電力負荷に対して第１電力を供給する蓄電池の制御装置であって、過去の所定の時間帯における前記電力負荷の電力需要を示す需要実績情報と、前記過去の所定の時間帯における気象条件を示す気象情報と、に基づいて、将来の所定の時間帯における前記電力負荷の需要予測値を算出する需要予測部と、前記需要予測部において算出された前記需要予測値と、前記蓄電池の定格出力と、に基づいて、前記将来の所定の時間帯において前記電力系統から前記電力負荷に供給される第２電力の上限値を設定する上限設定部と、前記将来の所定の時間帯において前記電力系統から供給された前記第２電力の実績値が前記上限値を超えると、当該第２電力の実績値と前記上限値との差分に相当する第３電力を前記電力負荷へ放電するように、前記蓄電池を制御する制御部と、を備える。
【００１３】
その他、本願が開示する課題、及びその解決方法は、発明を実施するための形態の欄の記載、及び図面の記載等により明らかにされる。
【発明の効果】
【００１４】
本発明によれば、電力系統から電力負荷側に供給される電力のピークカットを確実に行うことが可能となる。
【図面の簡単な説明】
【００１５】
【図１】本実施形態においてピークカットが行われる需要家の一例を示す図である。
【図２】本実施形態における蓄電池制御装置の機能を示すブロック図である。
【図３】本実施形態における需要実績値の一例を示す図である。
【図４】本実施形態における気温予報値の一例を示す図である。
【図５】本実施形態における需要予測値の一例を示す図である。
【図６】本実施形態における１日の時間帯ごとの需要予測値、必要電力予測値、買電計画、及び充放電計画の一例を示す図である。
【図７】本実施形態における蓄電池の充放電制御の手順を示すフローチャートである。
【図８】需要予測値、蓄電池充放電計画、及び連係点潮流予測の関係を示すグラフである。
【図９】図８に対応する、需要予測値、蓄電池充放電計画、及び連係点潮流予測の関係を表形式で示した図である。
【図１０】需要予測値と需要実績値との関係を示すグラフである。
【図１１】図１０に対応する、需要予測値、需要実績値、及び予測誤差を示す図である。
【図１２】需要実績、蓄電池出力実績、及び買電実績の関係を示す図である。
【図１３】図１２に対応する、需要実績、蓄電池出力実績、及び買電実績の関係を表形式で示した図である。
【発明を実施するための形態】
【００１６】
本明細書および添付図面の記載により、少なくとも以下の事項が明らかとなる。
【００１７】
添付図面を参照して、本実施形態における蓄電池制御装置を説明する。本実施形態における蓄電池制御装置１０は、図１に示されるように、大規模系統４０と需要家の電力負荷３０との間に接続された蓄電池２０の充放電動作を制御する装置である。ここで、蓄電池２０は、大規模系統４０から電力の供給を受けて充電し、電力負荷３０に対して放電により電力を供給する。また、需要家は、電力負荷３０に電力を供給する自家発電設備３１を有していてもよい。なお、大規模系統４０は電力系統の一例である。
【００１８】
このような蓄電池制御装置１０は、需要予測部１１、計画部１２、及び制御部１６を有している。以下、詳細に説明する。
【００１９】
＜需要予測部＞  
需要予測部１１は、需要実績情報と気象情報とに基づいて需要予測値を算出する。ここに、需要実績情報は、過去の所定の時間帯における電力負荷３０の電力需要ＰＬの実績値を示し、気象情報は、過去の所定の時間帯における気象条件を示し、需要予測値は、将来の所定の時間帯における電力負荷３０の電力需要ＰＬの予測値である。なお、大規模系統４０に複数の需要家が連系されているときには、需要予測部１１は、需要家ごとに、必要な需要実績情報と気象情報とを収集し、かかる情報に基づいて需要予測値を算出してもよいし、或いは複数の需要家を１つの需要家とみなし、複数の需要家の代表的な気象情報を用いて需要予測値を算出しても良い。また、電力負荷３０は、１つの需要家に属する複数の電力負荷を個々に示していてもよいし、これら複数の電力負荷を包括的に示していてもよい。
【００２０】
需要実績情報について具体的に述べると、需要実績情報は、ピークカットの対象となる電力負荷３０の、過去の所定の時間帯ごとの需要実績値を示す。かかる所定の時間帯は、例えば３０分、１時間など、任意の時間単位で設定される。本実施形態においては、需要家に設置された電力量計で計測された１時間ごとの消費電力の情報が、図示しない通信インターフェイスを介して蓄電池制御装置１０で取得され、図３のように蓄積されている。
【００２１】
また、気象情報は、ピークカットの対象となる電力負荷３０が設置されている地域の、所定の時間帯ごとの気象条件を示す。かかる気象情報は、過去の所定の時間帯ごとの気象実績（気象観測結果）と、予測対象期間の所定の時間帯ごとの気象予報と、を含む。また、かかる所定の時間帯は、需要実績情報が計測される時間間隔と同じ間隔（例えば３０分、１時間など）で設定されることが好ましい。気象条件としては、例えば気温、湿度、風速、天気（晴れ、曇り、雨、雪など）が挙げられる。本実施形態では、電力需要との相関性が比較的大きいと考えられる気温と、該当する時間帯と、を示す情報が、例えば気象庁のサーバから取得され、格納される。図４に、格納された気象情報の一例を示す。
【００２２】
需要予測部１１は、上述した需要実績情報と気象情報とに基づいて、ピークカットの対象となる電力負荷３０の、将来の所定の時間帯ごとの電力需要を予測する。かかる将来の所定の時間帯における時間間隔は、需要実績情報及び気象情報が収集される時間間隔と同じ間隔であることが好ましい。需要予測部１１が将来の電力需要を予測する期間は、例えば、需要予測を算出する日の翌日でもよいし、１週間先まででもよい。
【００２３】
また、電力需要の予測方法としては、様々な手法を用いることができる。例えば、該当日の一週間前に相当する日における各時間帯の需要実績を当該日の各時間帯の需要予測値としてもよいし、該当日の前日の各時間帯における需要実績を当該日の各時間帯の需要予測値としてもよい。あるいは、電力需要と気温（過去の予報値など）との関係をニューラルネットワークや多変量解析によってモデル化し、作成されたモデルに該当日（将来）の各時間帯における気象予報値を適用して電力需要の予測値を算出してもよい。
【００２４】
このようにして得られた将来の所定の時間帯ごとの需要予測値は、図示しない記憶部に格納される。図５に、格納された需要予測値の一例を示す。
【００２５】
＜計画部＞  
計画部１２は、大規模系統４０から電力負荷３０に供給される電力Ｐの上限値を設定する上限設定部１３と、蓄電池２０の充放電計画を策定する充放電計画部１４と、大規模系統４０から電力負荷３０に供給される電力Ｐを計画する買電計画部１５を有している。
【００２６】
・  上限設定部  
上限設定部１３は、需要予測部１１において算出された需要予測値と、蓄電池２０の定格出力と、に基づいて、将来の所定の時間帯において大規模系統４０から電力負荷３０に供給される電力Ｐの上限値を設定する。本実施形態において、上限値は、１日間の需要予測ごとに設定されるものとし、該当日における需要予測のピーク値と、蓄電池２０の定格出力の差分で与えられる。例えば、蓄電池２０の定格出力が３０ｋＷであり、需要予測部１１で算出された需要予測の該当日におけるピーク値が２００ｋＷであったとすると、上限値は、２００−３０＝１７０［ｋＷ］に設定される。
【００２７】
ここで、上限値は、蓄電池２０の容量に基づいて設定されてもよい。例えば、蓄電池２０の容量が１２０ｋＷｈであるとする。当該日における需要予測値のうち上限値を超える部分の合計が、蓄電池２０の容量を超えると、時間帯によっては、上限値を超える電力Ｐを大規模系統４０から購入せざるを得なくなり、効果的なピークカットを妨げる。他方、当該日における需要予測値のうち上限値を超える部分の合計が、蓄電池２０の容量の所定の割合（例えば２／３）に満たないと、蓄電池２０が効率的に運用されていないと考えられる。そこで、当該日における需要予測値のうち上限値を超える部分の合計が、蓄電池２０の容量の所定の範囲内（例えば容量の８０−９０％）に収まるように、一旦設定された上限値を上げたり下げたりしてもよい。
【００２８】
・  充放電計画部  
充放電計画部１４は、需要予測値と上限値とに基づいて蓄電池２０の充放電計画を策定する。具体的には、当該日における需要予測値のうち上限値を超える値に対応する時間帯は、蓄電池２０から電力負荷３０に放電する時間帯に設定される。例えば、図６に示される一日の時間帯では、１１時から１５時が放電の時間帯として設定されている。
【００２９】
そして、放電が計画された時間帯に蓄電池２０から出力されることが見込まれる電力量（蓄電池２０から減少する見込み電力量；図６では合計１０５ｋＷ）を、蓄電池２０の充電速度で除して得られる時間を、蓄電池２０の充電時間に設定する。図６の例では、蓄電池２０の充電速度は１０ｋＷ／ｈであり、１０．５時間が蓄電池２０の充電時間に割り当てられている。蓄電池２０の充電に割り当てられる時間帯は、例えば、大規模系統４０からの電力購入価格（電気料金）が安い順序でもよいし、予測される電力需要が小さい順序でもよい。図６では、０時から６時まで、及び、２０時から２３時までが蓄電池２０の充電に割り当てられている。なお、図６は、蓄電池２０に充電される電力を負の値で、蓄電池２０から放電される電力を正の値で表わしている。
【００３０】
このようにして蓄電池２０を放電する時間帯と、蓄電池２０を充電する時間帯とが、決定され、残りの時間帯（図６では７時から１０時まで、及び、１６時から１９時まで）は、充電も放電もしない時間帯、つまり、蓄電池２０の動作を停止する時間帯として設定される。
【００３１】
・  買電計画部  
買電計画部１５は、上述した需要予測値と充放電計画とに基づいて、買電計画を作成する。買電計画部１５はまず、該当する需要家が、大規模系統４０及び蓄電池２０を含む外部電源から供給を必要とする電力（Ｐ＋ＰＢ）の予測値（必要電力予測値）を算出する。この必要電力予測値は、例えば、該当する需要家に自家発電設備３１が備えられている場合には、その自家発電設備の所定の時間帯ごとの出力予測値を需要予測値から控除した値である。図６の例では、該当する需要家が自家発電設備３１を備えないか、あるいは、自家発電設備３１が定期点検や故障のために稼働を停止していて、自家発電設備の出力が０である場合の必要電力予測値が示されている。
【００３２】
必要電力予測値は、需要予測値と等しくなるように予め設定されていてもよい。また、自家発電設備３１の出力予測値は、タッチパネルなどの図示しないインターフェイスを介して、作業者によって入力されてもよい。あるいは、自家発電設備３１の運転計画は、図示しない外部インターフェイスを介して、自家発電設備３１から定期的に受信されてもよい。
【００３３】
次いで、買電計画部１５は、必要電力予測値に充放電計画値を加算した値を買電計画値とする。図６に、一日の１時間ごとの買電計画の一例を示す。なお、図６では、各時間帯における蓄電池２０の充電量が負の値で、放電量が正の値で示されている。
【００３４】
このように、計画部１２は、上限設定部１３において、大規模系統４０から供給を受ける電力Ｐの上限値を設定し、充放電計画部１４において、需要予測値と上限値に基づいて蓄電池２０の充放電計画を作成し、買電計画部１５において、需要予測値、充放電計画、及び、必要に応じて自家発電設備３１の出力予測値に基づいて、買電計画を作成する。
【００３５】
＜制御部＞  
制御部１６は、充放電計画、買電計画、需要実績情報、及び蓄電池残量情報に基づいて、蓄電池２０の動作を制御する。制御部１６における処理フローを図７に示す。
【００３６】
制御部１６は、まず入力データの読み込みを行う。すなわち、ステップＳ１−Ｓ４において、計画部１２で作成された充放電計画及び買電計画を読み込むとともに、図示しない外部インターフェイスを介して、現在における電力負荷３０の需要実績情報及び蓄電池２０の残量情報を取得する。
【００３７】
次に、ステップＳ５において、制御部１６は、蓄電池２０が充電モード、放電モード、運転停止モードのいずれであるかを判定する。かかるモード判定は、蓄電池２０の充放電計画において、該当する時間帯が蓄電池２０の充電、放電、又は運転停止を行う時間帯であるかによって決まる。
【００３８】
蓄電池２０が充電モードであると判断すると、制御部１６は、ステップＳ６において、蓄電池２０の現在の残量が上限以下であるか否かを判定する。蓄電池２０の現在の残量が上限を超えていると判定すると、制御部１６は、これ以上蓄電池２０を充電し得ないと判断し、ステップＳ８において蓄電池２０の動作を停止させる。他方、蓄電池２０の現在の残量が上限以下であると判定すると、制御部１６は、ステップＳ７において需要実績値と買電計画値を比較する。そして、需要実績値が買電計画値未満であると判定すると、制御部１６は、ステップＳ９において、需要実績値を買電計画値に一致させるように蓄電池２０を充電させる。これにより、蓄電池２０の充電が計画どおりに実行され、効果的な蓄電池２０の運用が実現されることになる。なお、需要実績値が買電計画値よりも大きいと、制御部１６は、ステップＳ８において蓄電池２０の動作を停止させる。
【００３９】
また、ステップＳ５において蓄電池２０が放電モードであると判定すると、制御部１６は、ステップＳ１０において、蓄電池２０の現在の残量が下限以上であるか否かを判断する。そして、現在の蓄電池２０の残量が下限未満であると判定すると、制御部１６は、蓄電池２０はこれ以上放電し得ないと判断し、ステップＳ１２において蓄電池２０の動作を停止させる。逆に、現在の蓄電池２０の残量が下限以上であると判定すると、制御部１６は、ステップＳ１１において、需要実績値と買電計画値とを比較する。そして、需要実績値が買電計画値未満であると判断すると、制御部１６は、蓄電池２０を放電させる必要はないと判断し、ステップＳ１２において蓄電池２０の動作を停止させる。このような処理により、蓄電池２０が無駄に放電しなくて済む。
【００４０】
一方、需要実績値が買電計画値よりも大きいと判定すると、制御部１６は、需要実績値を買電計画値に一致させるべく蓄電池２０を放電させる。買電計画における購入電力の最大値は、上限設定部で設定された上限値であるから、制御部１６は、需要実績値が前述の上限値を超えたと判断すると、需要実績値と上限値との差分に相当する電力を電力負荷３０へ放電するように蓄電池２０を制御することになる。これにより、ピークカットを確実に実現しつつ、計画に沿った蓄電池２０の効率的な運用が可能となる。なお、蓄電池２０の制御間隔は、各種計画における所定の時間帯（本実施形態では１時間）よりも十分に短い１秒から１分程度に任意に設定可能であることが望ましい。
【００４１】
また、ステップＳ５において蓄電池２０が運転停止モードであると判定すると、制御部１６は、ステップＳ８において蓄電池２０の動作を停止させる。このようにして、制御部１６は蓄電池２０の動作を制御する。
【００４２】
前述したとおり、本実施形態における蓄電池制御装置１０は、電力系統４０に連系された電力負荷３０に対して第１電力を供給する装置であって、過去の所定の時間帯における電力負荷３０の電力需要を示す需要実績情報と、過去の所定の時間帯における気象条件を示す気象情報と、に基づいて、将来の所定の時間帯における電力負荷３０の需要予測値を算出する需要予測部１１と、需要予測部１１において算出された需要予測値と、蓄電池２０の定格出力と、に基づいて、将来の所定の時間帯において電力系統４０から電力負荷２０に供給される第２電力の上限値を設定する上限設定部１３と、将来の所定の時間帯において電力系統４０から供給された第２電力の実績値が上限値を超えると、第２電力の実績値と上限値との差分に相当する第３電力を前記電力負荷へ放電するように、蓄電池２０を制御する制御部１６と、を備える。
【００４３】
かかる実施形態によれば、需要予測値と実際の需要実績値との間に誤差が生じても、確実にピークカットを実行することができる。また、蓄電池２０を無駄に放電させなくて済む。したがって、蓄電池２０を効率的に運用することができ、省エネルギーに寄与するとともに、電力事業者から購入する電力に関わる費用を削減することが可能となる。
【００４４】
また、上限設定部１３は、複数の将来の所定の時間帯にわたる期間における需要予測値のピーク値と、蓄電池２０の定格出力と、の差分に相当する値を上限値として設定することが好ましい。かかる実施形態によれば、蓄電池２０の性能に応じたピークカット値を設定することが可能であるから、現実的なピークカットを行うことができる。
【００４５】
また、将来の所定の時間帯における需要予測値が上限値より小さいと、蓄電池２０の残量情報に基づいて、需要予測値に対応する将来の所定の時間帯に蓄電池２０を充電させるか前記蓄電池の動作を停止させるかを決定する充放電計画部１４、を更に備え、制御部１６は、充放電計画部１４の決定に基づいて、蓄電池２０を充電させ又は前記蓄電池２０の動作を停止させることが好ましい。かかる実施形態によれば、蓄電池２０の充電が計画どおりに実行され、効果的な蓄電池２０の運用が実現される。
【００４６】
また、需要予測部１１は、将来の所定の時間帯における気象予報情報に基づいて、将来の所定の時間帯における電力負荷３０の需要予測値を算出することが好ましい。かかる実施形態によれば、需要予測の精度が向上するため、蓄電池２０を効率的に運用しつつ、確実にピークカットを行うことができる。
【００４７】
なお、上述した実施の形態は本発明の理解を容易にするためのものであり、本発明を限定して解釈するためのものではない。本発明はその趣旨を逸脱することなく変更、改良され得るとともに、本発明にはその等価物も含まれる。
【符号の説明】
【００４８】
１０  蓄電池制御装置
１１  需要予測部
１２  計画部
１３  上限設定部
１４  充放電計画部
１５  買電計画部
１６  制御部
２０  蓄電池
３０  電力負荷
４０  大規模系統
【図２】
2017022864.tif 000003
【図３】
2017022864.tif 000004
【図４】
2017022864.tif 000005
【図５】
2017022864.tif 000006
【図６】
2017022864.tif 000007
【図７】
2017022864.tif 000008
【図８】
2017022864.tif 000009
【図９】
2017022864.tif 000010
【図１０】
2017022864.tif 000011
【図１１】
2017022864.tif 000012
【図１２】
2017022864.tif 000013
【図１３】
2017022864.tif 000014
【図１】
2017022864.tif 000015